(57)【要約】  電子機器は、第１撮像範囲を撮像する第１撮像部と、第１撮像部が第１撮像範囲を撮像している場合に、第１撮像範囲より広角な第２撮像範囲を撮像する第２撮像部と、表示画面を有する表示部と、検出部と、判定部と、推定部とを備える。検出部は、第２撮像部からの画像信号に基づいて、第２撮像範囲内を移動する移動体の位置を検出する。判定部が、検出部が検出する移動体の位置に基づいて、移動体が第１撮像範囲外かつ第２撮像範囲内に存在すると判定する場合には、推定部は、検出部が検出する移動体の位置に基づいて、第１撮像範囲の周縁における、移動体が第１撮像範囲に入ってくる際に通過する進入領域を推定する。表示部は、進入領域を通知する第１通知情報を、第１撮像部が撮像する第１ライブビュー画像と共に表示画面に表示する。
2017018043.tif 000002
【特許請求の範囲】
【請求項１】
第１撮像範囲を撮像する第１撮像部と、
前記第１撮像部が前記第１撮像範囲を撮像している場合に、前記第１撮像範囲より広角な第２撮像範囲を撮像する第２撮像部と、
表示画面を有し、前記第１撮像部が撮像する第１ライブビュー画像を前記表示画面に表示する表示部と、
前記第２撮像部からの画像信号に基づいて、前記第２撮像範囲内を移動する移動体の位置を検出する検出部と、
前記検出部が検出する前記位置に基づいて、前記移動体が前記第１撮像範囲外かつ前記第２撮像範囲内に存在するか否かを判定する判定部と、
前記判定部において前記移動体が前記第１撮像範囲外かつ前記第２撮像範囲内に存在すると判定される場合には、前記検出部が検出する前記位置に基づいて、前記第１撮像範囲の周縁における、前記移動体が前記第１撮像範囲に入ってくる際に通過する進入領域を推定する推定部と
を備え、
前記表示部は、前記進入領域を通知する第１通知情報を前記第１ライブビュー画像と共に前記表示画面に表示する、電子機器。
【請求項２】
請求項１に記載の電子機器であって、
前記検出部は、前記第２撮像部からの画像信号に基づいて、前記第２撮像範囲内を移動する前記移動体の移動方向を検出し、
前記推定部は、前記判定部において前記移動体が前記第１撮像範囲外かつ前記第２撮像範囲内に存在すると判定される場合には、前記検出部が検出する前記位置及び前記移動方向に基づいて、前記進入領域を推定する、電子機器。
【請求項３】
請求項１及び請求項２のいずれか一つに記載の電子機器であって、
前記表示部は、前記第１ライブビュー画像を表示する前記表示画面における、前記進入領域と対応する部分に、前記第１通知情報としての第１マーカーを表示する、電子機器。
【請求項４】
請求項１乃至請求項３のいずれか一つに記載の電子機器であって、
前記判定部は、前記検出部が検出する前記位置に基づいて、前記移動体が前記第１撮像範囲内に存在するか否かを判定し、
前記表示部は、前記判定部において前記移動体が前記第１撮像範囲内に存在すると判定される場合には、前記移動体が前記第１撮像範囲内に存在することを通知する第２通知情報を前記第１ライブビュー画像と共に前記表示画面に表示する、電子機器。
【請求項５】
請求項４に記載の電子機器であって、
前記表示部は、前記第１ライブビュー画像を表示する前記表示画面における、前記第１撮像範囲の周縁に対応する部分を縁取る第２マーカーを前記第２通知情報として表示する、電子機器。
【請求項６】
請求項１乃至請求項５のいずれか一つに記載の電子機器であって、
前記表示部は、前記第２撮像部が撮像する第２ライブビュー画像を、前記第１ライブビュー画像に並べて前記表示画面に表示する、電子機器。
【請求項７】
第１撮像範囲を撮像する第１撮像部と、前記第１撮像部が前記第１撮像範囲を撮像している場合に、前記第１撮像範囲より広角な第２撮像範囲を撮像する第２撮像部とを備える電子機器の動作方法であって、
前記第２撮像部からの画像信号に基づいて、前記第２撮像範囲内を移動する移動体の位置を検出する第１工程と、
前記位置に基づいて、前記移動体が前記第１撮像範囲外かつ前記第２撮像範囲内に存在するか否かを判定する第２工程と、
前記第２工程において前記移動体が前記第１撮像範囲外かつ前記第２撮像範囲内に存在すると判定される場合には、前記位置に基づいて、前記第１撮像範囲の周縁における、前記移動体が前記第１撮像範囲に入ってくる際に通過する進入領域を推定する第３工程と、
前記進入領域を通知する通知情報を、前記第１撮像部が撮像するライブビュー画像と共に表示する第４工程とを備える、電子機器の動作方法。
【請求項８】
第１撮像範囲を撮像する第１撮像部と、前記第１撮像部が前記第１撮像範囲を撮像している場合に、前記第１撮像範囲より広角な第２撮像範囲を撮像する第２撮像部とを備える電子機器を制御するための制御プログラムであって、
前記電子機器に、
前記第２撮像部からの画像信号に基づいて、前記第２撮像範囲内を移動する移動体の位置を検出する第１工程と、
前記位置に基づいて、前記移動体が前記第１撮像範囲外かつ前記第２撮像範囲内に存在するか否かを判定する第２工程と、
前記第２工程において前記移動体が前記第１撮像範囲外かつ前記第２撮像範囲内に存在すると判定される場合には、前記位置に基づいて、前記第１撮像範囲の周縁における、前記移動体が前記第１撮像範囲に入ってくる際に通過する進入領域を推定する第３工程と、
前記進入領域を通知する通知情報を、前記第１撮像部が撮像するライブビュー画像と共に表示する第４工程と
を実行させるための制御プログラム。
【発明の詳細な説明】
【技術分野】
【０００１】
本開示は、電子機器に関する。
【背景技術】
【０００２】
特許文献１に記載されているように、従来から、移動体を撮像する技術が提案されている。
【先行技術文献】
【特許文献】
【０００３】
【特許文献１】特開２０１０−１４１６７１号公報
【発明の概要】
【発明が解決しようとする課題】
【０００４】
撮像部を有する電子機器において、移動体を撮像しやすいことが望まれる。【０００５】
そこで、本発明は上述の点に鑑みて成されたものであり、移動体を撮像しやすくすることが可能な技術を提供することを目的とする。
【課題を解決するための手段】
【０００６】
電子機器及び電子機器の動作方法が開示される。一の実施の形態では、電子機器は、第１撮像範囲を撮像する第１撮像部と、第１撮像部が第１撮像範囲を撮像している場合に、第１撮像範囲より広角な第２撮像範囲を撮像する第２撮像部と、表示画面を有する表示部と、検出部と、判定部と、推定部とを備える。検出部は、第２撮像部からの画像信号に基づいて、第２撮像範囲内を移動する移動体の位置を検出する。判定部は、検出部が検出する移動体の位置に基づいて、移動体が第１撮像範囲外かつ第２撮像範囲内に存在するか否かを判定する。推定部は、判定部において移動体が第１撮像範囲外かつ第２撮像範囲内に存在すると判定される場合には、検出部が検出する移動体の位置に基づいて、第１撮像範囲の周縁における、移動体が第１撮像範囲に入ってくる際に通過する進入領域を推定する。表示部は、進入領域を通知する第１通知情報を、第１撮像部が撮像する第１ライブビュー画像と共に表示画面に表示する。【０００７】
また、一の実施の形態では、電子機器の動作方法は、第１撮像範囲を撮像する第１撮像部と、第１撮像部が第１撮像範囲を撮像している場合に、第１撮像範囲より広角な第２撮像範囲を撮像する第２撮像部とを備える電子機器の動作方法である。電子機器の動作方法は、第２撮像部からの画像信号に基づいて、第２撮像範囲内を移動する移動体の位置を検出する第１工程と、移動体の位置に基づいて、移動体が第１撮像範囲外かつ第２撮像範囲内に存在するか否かを判定する第２工程と、第２工程において移動体が第１撮像範囲外かつ第２撮像範囲内に存在すると判定される場合には、移動体の位置に基づいて、第１撮像範囲の周縁における、移動体が第１撮像範囲に入ってくる際に通過する進入領域を推定する第３工程と、進入領域を通知する通知情報を、第１撮像部が撮像するライブビュー画像と共に表示する第４工程とを備える。【０００８】
また、一の実施の形態では、制御プログラムは、第１撮像範囲を撮像する第１撮像部と、第１撮像部が第１撮像範囲を撮像している場合に、第１撮像範囲より広角な第２撮像範囲を撮像する第２撮像部とを備える電子機器を制御するための制御プログラムである。制御プログラムは、電子機器に、第２撮像部からの画像信号に基づいて、第２撮像範囲内を移動する移動体の位置を検出する第１工程と、移動体の位置に基づいて、移動体が第１撮像範囲外かつ第２撮像範囲内に存在するか否かを判定する第２工程と、第２工程において移動体が第１撮像範囲外かつ第２撮像範囲内に存在すると判定される場合には、移動体の位置に基づいて、第１撮像範囲の周縁における、移動体が第１撮像範囲に入ってくる際に通過する進入領域を推定する第３工程と、進入領域を通知する通知情報を、第１撮像部が撮像するライブビュー画像と共に表示する第４工程とを実行させるためのものである。
【発明の効果】
【０００９】
移動体を撮像しやすくなる。
【図面の簡単な説明】
【００１０】
【図１】電子機器の外観の一例を概略的に示す斜視図である。
【図２】電子機器の外観の一例を概略的に示す裏面図である。
【図３】電子機器の電気的構成の一例を示す図である。
【図４】第１撮像範囲と第２撮像範囲との関係の一例を模式的に示す図である。
【図５】電子機器の動作の一例を示すフローチャートである。
【図６】表示画面の表示の一例を示す図である。
【図７】表示画面の表示の一例を示す図である。
【図８】広角ライブビュー画像の一例を示す図である。
【図９】表示画面の表示の一例を示す図である。
【図１０】広角ライブビュー画像の一例を示す図である。
【図１１】表示画面の表示の一例を示す図である。
【図１２】広角ライブビュー画像の一例を示す図である。
【図１３】表示画面の表示の一例を示す図である。
【図１４】広角ライブビュー画像の一例を示す図である。
【図１５】表示画面の表示の一例を示す図である。
【図１６】広角ライブビュー画像の一例を示す図である。
【図１７】表示画面の表示の一例を示す図である。
【図１８】広角ライブビュー画像の一例を示す図である。
【図１９】表示画面の表示の一例を示す図である。
【図２０】表示画面の表示の一例を示す図である。
【図２１】表示画面の表示の一例を示す図である。
【図２２】表示画面の表示の一例を示す図である。
【図２３】広角ライブビュー画像の一例を示す図である。
【図２４】表示画面の表示の一例を示す図である。
【図２５】広角ライブビュー画像の一例を示す図である。
【図２６】表示画面の表示の一例を示す図である。
【図２７】広角ライブビュー画像の一例を示す図である。
【図２８】表示画面の表示の一例を示す図である。
【図２９】広角ライブビュー画像の一例を示す図である。
【図３０】広角ライブビュー画像の一例を示す図である。
【図３１】電子機器の動作の一例を示すフローチャートである。
【図３２】広角ライブビュー画像の一例を示す図である。
【図３３】電子機器の動作の一例を示すフローチャートである。
【図３４】表示画面の表示の一例を示す図である。
【図３５】電子機器の動作の一例を示すフローチャートである。
【図３６】広角ライブビュー画像の一例を示す図である。
【図３７】表示画面の表示の一例を示す図である。
【図３８】広角ライブビュー画像の一例を示す図である。
【図３９】表示画面の表示の一例を示す図である。
【図４０】広角ライブビュー画像の一例を示す図である。
【図４１】表示画面の表示の一例を示す図である。
【発明を実施するための形態】
【００１１】
＜電子機器の外観＞
図１及び図２は、それぞれ、電子機器１の外観の一例を概略的に示す斜視図及び裏面図である。電子機器１は、例えば、スマートフォン等の携帯電話機である。電子機器１は、基地局及びサーバ等を通じて他の通信装置と通信することが可能である。
【００１２】
図１及び図２に示されるように、電子機器１は、当該電子機器１の前面１ａに位置するカバーパネル２と、当該カバーパネル２が貼り付けられる機器ケース３とを備えている。カバーパネル２及び機器ケース３は、電子機器１の外装を成している。電子機器１の形状は、例えば、平面視において略長方形の板状となっている。
【００１３】
カバーパネル２には、後述する表示パネル１２０が表示する、文字、記号、図形等の各種情報が表示される表示画面（表示領域）２ａが設けられている。カバーパネル２における、表示画面２ａを取り囲む周縁部２ｂの大部分は、例えばフィルム等が貼られることによって黒色となっている。これにより、カバーパネル２の周縁部２ｂの大部分は、表示パネル１２０が表示する各種情報が表示されない非表示領域となっている。
【００１４】
カバーパネル２の裏面には、後述するタッチパネル１３０が貼り付けられている。そして、表示パネル１２０は、タッチパネル１３０におけるカバーパネル２側の主面とは反対側の主面に貼り付けられている。つまり、表示パネル１２０は、タッチパネル１３０を介してカバーパネル２の裏面に取り付けられている。これにより、ユーザは、表示画面２ａを指等の操作子で操作することによって、電子機器１に対して各種指示を与えることができる。
【００１５】
図１に示されるように、カバーパネル２の上側端部には、後述する第３撮像部２００が有するレンズが電子機器１の外部から視認できるための第３レンズ用透明部２０が設けられている。また、カバーパネル２の上側端部には、レシーバ穴１６が設けられている。また、カバーパネル２の下側端部には、スピーカ穴１７が設けられている。そして、電子機器１の底面１ｃ、つまり機器ケース３の底面（下側の側面）には、マイク穴１５が設けられている。
【００１６】
図２に示されるように、電子機器１の背面１ｂ、つまり機器ケース３の背面の上側端部には、後述する第１撮像部１８０が有する撮像レンズが、電子機器１の外部から視認できるための第１レンズ用透明部１８が設けられている。また、機器ケース３の背面の上側端部には、後述する第２撮像部１９０が有する撮像レンズが、電子機器１の外部から視認できるための第２レンズ用透明部１９が設けられている。第１レンズ用透明部１８及び第２レンズ用透明部１９は、例えば、機器ケース３の長手方向に沿って並んで、当該機器ケース３の背面に設けられている。
【００１７】
機器ケース３の内部には、複数の操作キー１４１から成る操作キー群１４０が設けられている。各操作キー１４１は、押しボタンなどのハードウェアキーであって、その表面がカバーパネル２の下側端部から露出している。ユーザは、各操作キー１４１を指等で押圧することによって、電子機器１に対して各種指示を与えることができる。複数の操作キー１４１には、例えば、ホームキー、バックキー及びタスクキーが含まれている。ホームキーは、表示画面２ａにホーム画面（初期画面）を表示させるための操作キーである。バックキーは、表示画面２ａの表示を一つ前の表示に切り替えるための操作キーである。タスクキーは、電子機器１で起動中のアプリケーションプログラムの一覧を表示画面２ａに表示させるための操作キーである。
【００１８】
＜電子機器の電気的構成＞
図３は、電子機器１の電気的構成の一例を示すブロック図である。図３に示されるように、電子機器１には、制御部１００、無線通信部１１０、表示部１２１、タッチパネル１３０、操作キー群１４０、マイク１５０、レシーバ１６０、外部スピーカ１７０、第１撮像部１８０、第２撮像部１９０、第３撮像部２００、及び電池２１０が設けられている。電子機器１に設けられたこれらの構成要素のそれぞれは、機器ケース３内に収められている。
【００１９】
制御部１００は、一種のコンピュータであって、例えばＣＰＵ（Central Processing Unit）１０１、ＤＳＰ（Digital Signal Processor）１０２及び記憶部１０３等を備えている。制御部１００は制御回路とも言える。制御部１００は、電子機器１の他の構成要素を制御することによって、電子機器１の動作を統括的に管理することが可能である。制御部１００は、例えば、ＳｏＣ（System-on-a-Chip）、ＭＣＵ（Micro Control Unit）及びＦＰＧＡ（Field-Programmable Gate Array）等の副処理装置（co-processor）をさらに含んでもよい。この場合には、制御部１００は、ＣＰＵ１０１及び副処理装置を互いに協働させて各種の制御を行ってよいし、両者のうちの一方を切り替えながら用いて各種の制御を行ってよい。
【００２０】
記憶部１０３は、ＲＯＭ（Read Only Memory）及びＲＡＭ（Random Access Memory）等の、ＣＰＵ１０１及びＤＳＰ１０２が読み取り可能な非一時的な記録媒体を備えている。記憶部１０３が有するＲＯＭは、例えば、不揮発性メモリであるフラッシュＲＯＭ（フラッシュメモリ）である。記憶部１０３には、電子機器１を制御するための複数の制御プログラム１０３ａが記憶されている。複数の制御プログラム１０３ａには、メインプログラム及び複数のアプリケーションプログラム（以降、単にアプリケーションあるいはアプリと呼ぶことがある）等が含まれている。制御部１００の各種機能は、ＣＰＵ１０１及びＤＳＰ１０２が記憶部１０３内の各種制御プログラム１０３ａを実行することによって実現される。記憶部１０３には、例えば、第１撮像部１８０、第２撮像部１９０あるいは第３撮像部２００を用いて、静止画像あるいは動画像を撮像するためのアプリケーションプログラム（以降、カメラアプリと呼ぶことがある）が記憶されている。
【００２１】
なお、記憶部１０３は、ＲＯＭ及びＲＡＭ以外の、コンピュータが読み取り可能な非一時的な記録媒体を備えていても良い。記憶部１０３は、例えば、小型のハードディスクドライブ及びＳＳＤ（Solid State Drive）等を備えていても良い。また、制御部１００の全ての機能あるいは制御部１００の一部の機能は、その機能の実現にソフトウェアが不要なハードウェアによって実現されても構わない。
【００２２】
無線通信部１１０は、アンテナ１１１を有している。無線通信部１１０は、例えば、電子機器１とは別の携帯電話機からの信号、あるいはインターネットに接続されたウェブサーバ等の通信装置からの信号を、基地局を介してアンテナ１１１で受信することが可能である。無線通信部１１０は、アンテナ１１１での受信信号に対して増幅処理及びダウンコンバートを行って制御部１００に出力することが可能である。制御部１００は、入力される受信信号に対して復調処理等を行って、当該受信信号に含まれる音声や音楽などを示す音信号などの情報を取得することが可能である。
【００２３】
また無線通信部１１０は、制御部１００で生成された送信信号に対して、アップコンバート及び増幅処理を行って、当該処理後の送信信号をアンテナ１１１から無線送信することが可能である。アンテナ１１１からの送信信号は、例えば、基地局を通じて、電子機器１以外の携帯電話機あるいはインターネットに接続されたウェブサーバ等の通信装置で受信される。
【００２４】
表示部１２１は、表示パネル１２０及び表示画面２ａを備えている。表示パネル１２０は、例えば、液晶パネルあるいは有機ＥＬパネルである。表示パネル１２０は、制御部１００に制御されることによって、文字、記号、図形などの各種情報を表示することが可能である。表示パネル１２０が表示する各種情報は、表示画面２ａに表示される。
【００２５】
タッチパネル１３０は、例えば、投影型静電容量方式のタッチパネルである。タッチパネル１３０は、表示画面２ａに対する指等の操作子による操作を検出することが可能である。ユーザが指等の操作子によって表示画面２ａに対して操作を行うと、その操作に応じた電気信号がタッチパネル１３０から制御部１００に入力される。これにより、制御部１００は、タッチパネル１３０からの電気信号に基づいて、表示画面２ａに対して行われた操作の内容を特定して、その内容に応じた処理を行うことが可能である。なお、ユーザは、指以外の操作子、例えば、スタイラスペンなどの静電式タッチパネル用ペンで表示画面２ａを操作することによっても、電子機器１に対して各種指示を与えることができる。
【００２６】
操作キー群１４０の各操作キー１４１は、ユーザによって押圧されると、操作されたことを示す操作信号を制御部１００に出力する。これにより、制御部１００は、各操作キー１４１からの操作信号に基づいて、当該操作キー１４１が操作されたか否かを判断することができる。制御部１００は、操作された操作キー１４１に応じた処理を行うことが可能である。なお、各操作キー１４１は、押しボタンなどのハードウェアキーではなく、表示画面２ａに表示されるソフトウェアキーであってもよい。この場合には、ソフトウェアキーへの操作がタッチパネル１３０によって検出されて、制御部１００は、操作されたソフトウェアキーに応じた処理を行うことが可能である。
【００２７】
マイク１５０は、電子機器１の外部から入力される音を電気的な音信号に変換して制御部１００に出力することが可能である。電子機器１の外部からの音は、例えば、機器ケース３の底面（下側の側面）に設けられたマイク穴１５から電子機器１の内部に取り込まれてマイク１５０に入力される。
【００２８】
外部スピーカ１７０は、例えばタイミックスピーカである。外部スピーカ１７０は、制御部１００からの電気的な音信号を音に変換して出力することが可能である。外部スピーカ１７０から出力される音は、例えば、カバーパネル２の下側端部に設けられたスピーカ穴１７から電子機器１の外部に出力される。スピーカ穴１７から出力される音については、電子機器１から離れた場所でも聞こえるような音量となっている。
【００２９】
レシーバ１６０は、受話音を出力することが可能であって、例えばダイナミックスピーカである。レシーバ１６０は、制御部１００からの電気的な音信号を音に変換して出力することが可能である。レシーバ１６０から出力される音は、例えば、カバーパネル２の上側端部に設けられたレシーバ穴１６から外部に出力される。レシーバ穴１６から出力される音の音量は、例えば、外部スピーカ１７０からスピーカ穴１７を介して出力される音の音量よりも小さくなっている。
【００３０】
なおレシーバ１６０に代えて、圧電振動素子が設けられてもよい。圧電振動素子は、制御部１００からの音声信号に基づいて振動することが可能である。圧電振動素子は、例えばカバーパネル２の裏面に設けられており、音声信号に基づく自身の振動によってカバーパネル２を振動させることが可能である。そして、ユーザが自身の耳をカバーパネル２に近づけることにより、カバーパネル２の振動が音声としてユーザに伝達される。レシーバ１６０に代えて圧電振動素子が設けられる場合には、レシーバ穴１６は不要である。
【００３１】
電池２１０は、電子機器１の電源を出力することが可能である。電池２１０は、例えば、リチウムイオン二次電池等の充電式の電池である。電池２１０は、電子機器１が備える制御部１００及び無線通信部１１０等の各種電子部品に対して電源を供給することが可能である。
【００３２】
第１撮像部１８０、第２撮像部１９０及び第３撮像部２００のそれぞれは、レンズ及び撮像素子などを備えている。第１撮像部１８０、第２撮像部１９０及び第３撮像部２００のそれぞれは、制御部１００の制御によって被写体を撮像し、撮像した被写体を示す静止画像あるいは動画像を生成して制御部１００に出力することが可能である。制御部１００は、入力される静止画像あるいは動画像を、記憶部１０３の不揮発性メモリ（フラッシュメモリ）あるいは揮発性メモリ（ＲＡＭ）に記憶することが可能である。
【００３３】
第３撮像部２００が有するレンズは、カバーパネル２に設けられた第３レンズ用透明部２０から視認可能となっている。したがって、第３撮像部２００は、電子機器１のカバーパネル２側、つまり電子機器１の前面１ａ側に存在する物体を撮像することが可能である。このような撮像部は、「インカメラ」と呼ばれることがある。以降、第３撮像部２００を「インカメラ２００」と呼ぶことがある。
【００３４】
第１撮像部１８０が有するレンズは、電子機器１の背面１ｂに設けられた第１レンズ用透明部１８から視認可能となっている。また、第２撮像部１９０が有するレンズは、電子機器１の背面１ｂに設けられた第２レンズ用透明部１９から視認可能となっている。したがって、第１撮像部１８０及び第２撮像部１９０は、電子機器１の背面１ｂ側に存在する物体を撮像することが可能である。
【００３５】
第２撮像部１９０は、第１撮像部１８０が撮像する第１撮像範囲より広角な（画角が広い）第２撮像範囲を撮像することが可能である。そして、第１撮像部１８０が第１撮像範囲を撮像している場合には、第２撮像部１９０は、当該第１撮像範囲より広角な（画角が広い）第２撮像範囲を撮像する。言い換えれば、第１撮像部１８０及び第２撮像部１９０が、それぞれ、第１及び第２撮像範囲を撮像している場合には、第２撮像部１９０の画角は、第１撮像部１８０の画角よりも広角になっている。図４は、第１撮像部１８０及び第２撮像部１９０が、それぞれ、第１撮像範囲１８５及び第２撮像範囲１９５を撮像している場合での、第１撮像範囲１８５と第２撮像範囲１９５との関係の一例を模式的に示す図である。図４に示されるように、第１撮像部１８０が第１撮像範囲１８５を撮像している場合には、第２撮像部１９０が撮像する第２撮像範囲１９５は、第１撮像範囲１８５よりも広く、第１撮像範囲１８５を含んでいる。
【００３６】
以後、説明の便宜上、第１撮像部１８０を「標準カメラ１８０」と呼び、第２撮像部１９０を「広角カメラ１９０」と呼ぶ。また、標準カメラ１８０が撮像する第１撮像範囲１８５を「標準撮像範囲１８５」と呼び、広角カメラ１９０が撮像する第２撮像範囲１９５を「広角撮像範囲１９５」と呼ぶ。
【００３７】
本例では、標準カメラ１８０、広角カメラ１９０及びインカメラ２００が有するレンズのそれぞれは、単焦点レンズである。なお、標準カメラ１８０、広角カメラ１９０及びインカメラ２００が有するレンズの少なくとも一つがズームレンズであっても良い。
【００３８】
電子機器１は、標準カメラ１８０、広角カメラ１９０及びインカメラ２００のそれぞれについてのズーム機能を有している。つまり、電子機器１は、標準カメラ１８０が撮像する被写体をズームインする標準カメラズーム機能と、広角カメラ１９０が撮像する被写体をズームインする広角カメラズーム機能と、インカメラ２００が撮像する被写体をズームインするインカメラズーム機能とを有している。カメラズーム機能によって、撮像する被写体がズームインされる場合には、撮像範囲は狭くなる。一方、カメラズーム機能によって、撮像する被写体がズームアウトされる場合には、撮像範囲は広くなる。
【００３９】
本例では、標準カメラ１８０、広角カメラ１９０及びインカメラ２００が有するレンズのそれぞれは単焦点レンズであることから、標準カメラズーム機能、広角カメラズーム機能及びインカメラズーム機能のそれぞれはデジタルズーム機能である。なお、標準カメラズーム機能、広角カメラズーム機能及びインカメラズーム機能の少なくとも一つが、ズームレンズによって実現される光学ズーム機能であっても良い。
【００４０】
電子機器１が、標準カメラズーム機能及び広角カメラズーム機能を有する場合であっても、つまり、標準カメラ１８０及び広角カメラ１９０のそれぞれの画角が可変な場合であっても、標準カメラ１８０が標準撮像範囲１８５を撮像している場合には、広角カメラ１９０は、標準撮像範囲１８５よりも広角な広角撮像範囲１９５を撮像する。具体的には、標準カメラ１８０及び広角カメラ１９０のそれぞれのズーム倍率が１倍である場合には、広角撮像範囲１９５は、標準撮像範囲１８５よりも広角になっている。また、標準カメラ１８０が標準撮像範囲１８５を撮像している場合には、電子機器１の広角カメラズーム機能は無効となる。つまり、標準カメラ１８０が標準撮像範囲１８５を撮像している場合には、広角カメラ１９０のズーム倍率は１倍に固定される。これにより、標準カメラ１８０が標準撮像範囲１８５を撮像している場合には、広角撮像範囲１９５の固定の画角は、標準撮像範囲１８５の最大画角よりも広角になっている。
【００４１】
一方、標準カメラ１８０が標準撮像範囲１８５を撮像しておらず、広角カメラ１９０が広角撮像範囲１９５を撮像する場合には、電子機器１の広角カメラズーム機能が有効になる。広角カメラズーム機能が有効な場合には、広角カメラ１９０の最少画角は、標準カメラ１８０の最大画角よりも小さくてもよい。つまり、広角カメラズーム機能が有効な場合には、広角撮像範囲１９５は標準撮像範囲１８５よりも画角が狭くなってもよい。
【００４２】
＜カメラアプリ実行時の電子機器の動作について＞
図５は、カメラアプリが実行される際の電子機器１の動作の一例を示すフローチャートである。表示画面２ａに対して所定の操作が行われると、図５に示されるように、ステップＳ１において、制御部１００は、記憶部１０３内に記憶されたカメラアプリを実行（起動）する。表示画面２ａには、例えば、電子機器１が各種アプリを実行する前の初期状態において、ホーム画面（初期画面）が表示されている。また、ホーム画面には、各種アプリをそれぞれ実行するための複数の図形（以降、アプリ実行用図形と呼ぶことがある）が表示されている。アプリ実行用図形は、アイコンと呼ばれる図形を含んでいてもよい。制御部１００は、表示画面２ａに表示されるカメラアプリを実行するためのアプリ実行用図形に対するユーザの選択操作をタッチパネル１３０が検出すると、記憶部１０３内に記憶されたカメラアプリを実行する。
【００４３】
表示画面２ａに表示されるアプリ実行用図形に対する選択操作として、例えば、当該アプリ実行用図形に対して、ユーザが指等の操作子を近づけた後、当該操作子を遠ざける操作が考えられる。また、表示画面２ａに表示されるアプリ実行用図形に対する選択操作として、例えば、当該アプリ実行用図形に対して、ユーザが指等の操作子を接触させた後、当該操作子を遠ざける操作が考えられる。これらの操作は、いわゆるタップ操作と呼ばれる。なお、このタップ操作による選択操作は、アプリ実行用図形に対する選択操作以外にも、表示画面２ａに表示される各種情報に対する選択操作として使用される。以下ではタップ操作による選択操作についての繰り返しの説明を省略する。
【００４４】
カメラアプリが実行されていないときは、標準カメラ１８０、広角カメラ１９０及びインカメラ２００に対しては電源が供給されていない。制御部１００は、カメラアプリの実行を開始すると、ステップＳ２において、標準カメラ１８０、広角カメラ１９０及びインカメラ２００のうち、標準カメラ１８０及び広角カメラ１９０に電源を供給して、当該標準カメラ１８０及び広角カメラ１９０を起動する。標準カメラ１８０及び広角カメラ１９０が起動している場合には、標準カメラ１８０は、撮像した静止画像あるいは動画像が不揮発性メモリに記録される記録用カメラとなり、広角カメラ１９０は、後述する移動体の検出処理を行うためのカメラとなる。
【００４５】
次にステップＳ３において、制御部１００は、表示パネル１２０を制御することによって、標準カメラ１８０が標準撮像範囲１８５を撮像するライブビュー画像（スルー画像、プレビュー画像、あるいは単にプレビューとも呼ばれる）を表示画面２ａに表示させる。つまり、制御部１００は、標準カメラ１８０において所定のフレームレートで連続的に撮像される撮像画像をリアルタイムに表示画面２ａに表示させる。ライブビュー画像は、ユーザが連続的に撮像される撮像画像をリアルタイムに確認するために表示される画像である。連続的に表示される複数枚のライブビュー画像は、一種の動画であると言える。そして、各ライブビュー画像は、動画の各フレーム画像であると言える。後述する記録用の静止画像及び動画像が記憶部１０３内の不揮発性メモリに記憶されるのに対して、ライブビュー画像は、制御部１００によって、記憶部１０３内の揮発性メモリに一時的に記憶された後、表示画面２ａに表示される。以降、標準カメラ１８０が撮像するライブビュー画像を「標準ライブビュー画像」と呼ぶことがある。
【００４６】
図６は、標準ライブビュー画像３００を表示する表示画面２ａの表示の一例を示す図である。図６に示されるように、標準ライブビュー画像３００は、表示画面２ａの中央領域４２０（上側端部４００及び下側端部４１０以外の領域）に表示される。つまり、表示画面２ａの中央領域４２０には、標準撮像範囲１８５内の被写体が表示される。
【００４７】
カメラアプリの実行中では、図６に示されるように、表示画面２ａの下側端部４１０に操作ボタン３１０が表示される。また、表示画面２ａの上側端部４００にモード切り替えボタン３２０、カメラ切り替えボタン３３０及び表示切り替えボタン３４０が表示される。
【００４８】
モード切り替えボタン３２０は、電子機器１の撮像モードを切り替えるための操作ボタンである。電子機器１の撮像モードが静止画像撮像モードである場合に、タッチパネル１３０がモード切り替えボタン３２０に対する所定の操作（例えばタップ操作）を検出すると、制御部１００は、電子機器１の撮像モードを静止画像撮像モードから動画像撮像モードに切り替える。また、電子機器１の撮像モードが動画像撮像モードである場合に、タッチパネル１３０が、モード切り替えボタン３２０に対する所定の操作を検出すると、制御部１００は、電子機器１の撮像モードを動画像撮像モードから静止画像撮像モードに切り替える。
【００４９】
カメラ切り替えボタン３３０は、静止画像あるいは動画像を記録するための記録用カメラを切り替えるための操作ボタンである。記録用カメラが標準カメラ１８０である場合に、タッチパネル１３０がカメラ切り替えボタン３３０に対する所定の操作（例えばタップ操作）を検出すると、制御部１００は、記録用カメラを標準カメラ１８０から例えば広角カメラ１９０に切り替える。記録用カメラが標準カメラ１８０から広角カメラ１９０に切り替わる場合には、制御部１００は、標準カメラ１８０への電源の供給を停止して、当該標準カメラ１８０の動作を停止させる。また、記録用カメラが標準カメラ１８０から広角カメラ１９０に切り替わる場合には、表示部１２１は、標準ライブビュー画像３００に代わって、広角カメラ１９０が広角撮像範囲１９５を撮像するライブビュー画像（以降、広角ライブビュー画像と呼ぶ）を表示画面２ａに表示する。
【００５０】
また、記録用カメラが広角カメラ１９０である場合に、タッチパネル１３０がカメラ切り替えボタン３３０に対する所定の操作を検出すると、制御部１００は、記録用カメラを広角カメラ１９０から例えばインカメラ２００に切り替える。記録用カメラが広角カメラ１９０からインカメラ２００に切り替わる場合には、制御部１００は、インカメラ２００に電源を供給してインカメラ２００を起動する。そして、制御部１００は、広角カメラ１９０への電源の供給を停止して、当該広角カメラ１９０の動作を停止させる。また、記録用カメラが広角カメラ１９０からインカメラ２００に切り替わる場合には、表示部１２１は、広角ライブビュー画像に代わって、インカメラ２００が撮像するライブビュー画像を表示画面２ａに表示する。
【００５１】
そして、記録用カメラがインカメラ２００である場合に、タッチパネル１３０がカメラ切り替えボタン３３０に対する所定の操作を検出すると、制御部１００は、記録用カメラをインカメラ２００から例えば標準カメラ１８０に切り替える。記録用カメラがインカメラ２００から標準カメラ１８０に切り替わる場合には、制御部１００は、標準カメラ１８０及び広角カメラ１９０に電源を供給して、当該標準カメラ１８０及び広角カメラ１９０を起動する。そして、制御部１００は、インカメラ２００への電源の供給を停止して当該インカメラ２００の動作を停止させる。また、記録用カメラがインカメラ２００から標準カメラ１８０に切り替わる場合には、表示部１２１は、インカメラ２００が撮像するライブビュー画像に代わって、標準ライブビュー画像３００を表示画面２ａに表示する。
【００５２】
なお、カメラアプリの起動時の記録用カメラは標準カメラ１８０ではなく、広角カメラ１９０であっても良いし、インカメラ２００であっても良い。
【００５３】
また、記録用カメラが切り替わる順番は上記の順番以外であっても良い。例えば、カメラ切り替えボタン３３０への操作が検出されたときの記録用カメラが標準カメラ１８０である場合には、記録用カメラが標準カメラ１８０からインカメラ２００に切り替わり、カメラ切り替えボタン３３０への操作が検出されたときの記録用カメラがインカメラ２００である場合には、記録用カメラがインカメラ２００から広角カメラ１９０に切り替わり、カメラ切り替えボタン３３０への操作が検出されたときの記録用カメラが広角カメラ１９０である場合には、記録用カメラが広角カメラ１９０から標準カメラ１８０に切り替わっても良い。
【００５４】
また、表示部１２１は、記録用カメラを順次切り替えるためのカメラ切り替えボタン３３０に代わり、標準カメラ１８０、広角カメラ１９０及びインカメラ２００のうち、記録用カメラ以外の２つのカメラにそれぞれ切り替えるための２つのカメラ切り替えボタンを表示画面２ａに表示しても良い。具体的には、表示部１２１は、記録用カメラが標準カメラ１８０である場合には、カメラ切り替えボタン３３０に代えて、記録用カメラを標準カメラ１８０から広角カメラ１９０に切り替えるためのカメラ切り替えボタンと、記録用カメラを標準カメラ１８０からインカメラ２００に切り替えるためのカメラ切り替えボタンとを表示画面２ａに表示しても良い。また表示部１２１は、記録用カメラが広角カメラ１９０である場合には、カメラ切り替えボタン３３０に代えて、記録用カメラを広角カメラ１９０からインカメラ２００に切り替えるためのカメラ切り替えボタンと、記録用カメラを広角カメラ１９０から標準カメラ１８０に切り替えるためのカメラ切り替えボタンとを表示画面２ａに表示しても良い。さらに表示部１２１は、記録用カメラがインカメラ２００である場合には、カメラ切り替えボタン３３０に代えて、記録用カメラをインカメラ２００から標準カメラ１８０に切り替えるためのカメラ切り替えボタンと、記録用カメラをインカメラ２００から広角カメラ１９０に切り替えるためのカメラ切り替えボタンとを表示画面２ａに表示しても良い。タッチパネル１３０が２つのカメラ切り替えボタンのうち一方のカメラ切り替えボタンに対する所定の操作を検出すると、制御部１００は、操作されたカメラ切り替えボタンに対応するカメラに記録用カメラを切り替える。
【００５５】
表示切り替えボタン３４０は、標準カメラ１８０及び広角カメラ１９０が起動している場合に、広角ライブビュー画像の表示／非表示を切り替えるための操作ボタンである。表示切り替えボタン３４０は、標準カメラ１８０及び広角カメラ１９０が起動している場合にだけ表示される。図６に示されるように、表示画面２ａに標準ライブビュー画像３００が表示され、広角ライブビュー画像が表示されていない場合に、タッチパネル１３０が表示切り替えボタン３４０に対する所定の操作（例えばタップ操作）を検出すると、表示部１２１は、標準ライブビュー画像３００と共に広角ライブビュー画像を表示画面２ａに表示する。図７は、標準ライブビュー画像３００及び広角ライブビュー画像３５０を表示する表示画面２ａの表示の一例を示す図である。図７の例では、標準ライブビュー画像３００及び広角ライブビュー画像３５０は、それぞれ、表示画面２ａの中央領域４２０の上側部分及び下側部分に表示されている。
【００５６】
なお、表示画面２ａにおける、標準ライブビュー画像３００及び広角ライブビュー画像３５０の表示位置及び表示サイズは、図７の例に限られない。例えば、標準ライブビュー画像３００及び広角ライブビュー画像３５０は、表示画面２ａの左右方向に並んで表示されてもよい。また、標準ライブビュー画像３００と広角ライブビュー画像３５０とは、一部が重なった状態で表示されてもよい。
【００５７】
このように、表示画面２ａには、標準カメラ１８０で撮像される標準ライブビュー画像３００と、広角カメラ１９０で撮像される広角ライブビュー画像３５０とが一緒に表示されることから、ユーザは、標準カメラ１８０で撮像される標準撮像範囲１８５内の被写体と、広角カメラ１９０で撮像される広角撮像範囲１９５の被写体との両方を確認することができる。
【００５８】
一方、表示画面２ａに標準ライブビュー画像３００及び広角ライブビュー画像３５０が表示されている場合に、タッチパネル１３０が表示切り替えボタン３４０に対する所定の操作を検出すると、表示部１２１は、広角ライブビュー画像３５０を非表示にする。そして、図６に示されるように、表示画面２ａの中央領域４２０に標準ライブビュー画像３００が表示される。
【００５９】
なお、広角カメラ１９０は、表示画面２ａでの広角ライブビュー画像３５０の表示／非表示に関わらず、電源が供給されて起動している間は、撮像画像を制御部１００に出力している。広角カメラ１９０が撮影する撮像画像は、制御部１００によって、記憶部１０３内の揮発性メモリに記憶される。
【００６０】
操作ボタン３１０は、電子機器１の撮像モードが静止画像撮像モードである場合には、シャッターボタンとして機能する。一方で、操作ボタン３１０は、電子機器１の撮像モードが動画像撮像モードである場合には、動画像の撮像開始及び停止を行うための操作ボタンとして機能する。撮像モードが静止画像撮像モードである場合に、タッチパネル１３０が操作ボタン３１０に対する所定の操作（例えばタップ操作）を検出すると、制御部１００は、操作ボタン３１０が操作されたときに記録用カメラ（図６，７の例では標準カメラ１８０）で撮像された、ライブビュー画像とは別の記録用の静止画像を記憶部１０３内の不揮発性メモリに記憶するとともに、当該静止画像を表示画面２ａに表示させる。一方、電子機器１の撮像モードが動画像撮像モードである場合に、タッチパネル１３０が操作ボタン３１０に対する所定の操作（例えばタップ操作）を検出すると、制御部１００は、記録用カメラで撮像される、ライブビュー画像とは別の記録用の動画像についての記憶部１０３内の不揮発性メモリへの記憶を開始する。その後、タッチパネル１３０が操作ボタン３１０に対する所定の操作を検出すると、制御部１００は、記録用カメラで撮像される記録用の動画像についての記憶部１０３内の不揮発性メモリへの記憶を停止する。
【００６１】
記録用カメラの動作モードは、記録用の静止画像を撮像するときと、記録用の動画像を撮像するときと、ライブビュー画像を撮像するときとでは異なっている。例えば、記録用の静止画像を撮像するときの動作モードと、記録用の動画像を撮像するときの動作モードと、ライブビュー画像を撮像するときの動作モードとの間では、撮像される画像の画素数及び露光時間などが異なっている。例えば、記録用の静止画像は、ライブビュー画像よりも画素数が多くなっている。
【００６２】
ステップＳ３の後、ステップＳ４において、制御部１００は、広角撮像範囲１９５内を移動する移動体が存在するか否かを判定する。具体的には、制御部１００は、広角カメラ１９０から所定のフレームレートで連続的に入力される一連の入力画像に対して、例えば、フレーム間差分による動体検出などの画像処理を行うことによって、各入力画像における移動体の位置を検出する。移動体の位置としては、例えば、各入力画像における移動体が存在する領域の中心座標が検出される。移動体の位置の検出処理には、例えば、広角カメラ１９０から出力されて記憶部１０３内の揮発性メモリに記憶される広角ライブビュー画像３５０が用いられる。このように、制御部１００は、広角撮像範囲１９５内を移動する移動体の位置を検出する検出部として機能する。そして、制御部１００は、広角ライブビュー画像３５０において移動体を検出した場合には、広角撮像範囲１９５内に移動体が存在していると判定する。一方、制御部１００は、広角ライブビュー画像３５０において移動体が検出されない場合には、広角撮像範囲１９５内に移動体が存在しないと判定する。
【００６３】
ステップＳ４において、移動体が広角撮像範囲１９５内に存在しないと判定される場合には、ステップＳ４が再度実行される。つまり、ステップＳ４において、移動体が広角撮像範囲１９５内に存在すると判定されるまでの間、所定の時間毎に移動体の検出処理が実行される。
【００６４】
一方、ステップＳ４において、移動体が広角撮像範囲１９５内に存在すると判定される場合には、ステップＳ５が実行される。ステップＳ５において、制御部１００は、ステップＳ４で検出された移動体が、標準撮像範囲１８５内に存在するか否かを判定する。具体的には、制御部１００は、ステップＳ４で検出された、広角ライブビュー画像３５０での移動体の位置（例えば、移動体の中心座標）が、広角ライブビュー画像３５０における、標準撮像範囲１８５と対応する部分領域内か否かを判定する。言い換えれば、制御部１００は、ステップＳ４で検出された、広角ライブビュー画像３５０での移動体の位置が、広角ライブビュー画像３５０における、標準撮像範囲１８５内の被写体が映る部分領域内か否かを判定する。そして、制御部１００は、ステップＳ４で検出された広角ライブビュー画像３５０での移動体の位置が、広角ライブビュー画像３５０における、標準撮像範囲１８５と対応する部分領域内である場合には、移動体が標準撮像範囲１８５内に存在すると判定する。一方、制御部１００は、ステップＳ４で検出された広角ライブビュー画像３５０での移動体の位置が、広角ライブビュー画像３５０における、標準撮像範囲１８５と対応する部分領域内でない場合には、標準撮像範囲１８５内に移動体が存在しないと判定する。このように、制御部１００は、移動体が標準撮像範囲１８５内に存在するか否かを判定する判定部として機能する。また、ステップＳ４において広角撮像範囲１９５内に存在すると判定された移動体に対して、ステップＳ５において当該移動体が標準撮像範囲１８５内に存在するか否かが判定されることから、制御部１００は、移動体が標準撮像範囲１８５外かつ広角撮像範囲１９５内に存在するか否かを判定する判定部として機能するともいえる。
【００６５】
ステップＳ５において、移動体が標準撮像範囲１８５内に存在しない、つまり移動体が標準撮像範囲１８５外かつ広角撮像範囲１９５内に存在すると判定されると、ステップＳ６が実行される。ステップＳ６において、制御部１００は、ステップＳ４で検出された移動体の位置に基づき、標準撮像範囲１８５の周縁における、移動体が標準撮像範囲１８５に入ってくる際に通過する進入領域を推定する。
【００６６】
以下では、制御部１００が標準撮像範囲１８５の周縁における進入領域を推定する動作について、図８に示される広角ライブビュー画像３５０を用いて説明する。図８では、説明の都合上、広角ライブビュー画像３５０（広角撮像範囲１９５内の被写体が映る画像）のおける、標準撮像範囲１８５と対応する部分領域（標準撮像範囲１８５内の被写体が映る部分領域）３５１が区切られて示されている。また、図８では、広角ライブビュー画像３５０における、部分領域３５１以外の周囲の領域（標準撮像範囲外かつ広角撮像範囲１９５内と対応する領域）は、複数の領域に区切られて示されている。具体的には、広角ライブビュー画像３５０の左上、右上、右下及び左下の４つの頂点と、部分領域３５１の左上、右上、右下及び左下の４つの頂点とをそれぞれ結ぶ直線によって、当該周囲の領域が、上側領域３５２、下側領域３５３、左側領域３５４及び右側領域３５５に区切られている。部分領域３５１の周縁３５６を構成する上縁３５６ａ、下縁３５６ｂ、左縁３５６ｃ及び右縁３５６ｄは、それぞれ、広角ライブビュー画像３５０の上側領域３５２、下側領域３５３、左側領域３５４及び右側領域３５５に接している。また、部分領域３５１の上縁３５６ａ、下縁３５６ｂ、左縁３５６ｃ及び右縁３５６ｄは、それぞれ、標準撮像範囲１８５の周縁を構成する上縁、下縁、左縁及び右縁に対応している。また、図８の例では、広角ライブビュー画像３５０の右側領域３５５内に左方向に向かって移動する移動体５００（例えば電車）が映っている。
【００６７】
ステップＳ６において、制御部１００は、ステップＳ４で検出した移動体５００が、広角ライブビュー画像３５０の上側領域３５２、下側領域３５３、左側領域３５４及び右側領域３５５のうち、どの領域に位置するかを判定する。次に、制御部１００は、広角ライブビュー画像３５０における部分領域３５１の上縁３５６ａ、下縁３５６ｂ、左縁３５６ｃ及び右縁３５６ｄのうち、移動体５００が位置していると判定された領域と接する縁を特定する。そして、制御部１００は、標準撮像範囲１８５の周縁を構成する上縁、下縁、左縁及び右縁のうち、部分領域３５１の特定された縁と対応する縁を、移動体５００が標準撮像範囲１８５に入ってくる際に通過する進入領域と推定する。このように、制御部１００は、検出された移動体５００の位置に基づき、標準撮像範囲１８５の周縁における、移動体５００が標準撮像範囲１８５に入ってくる際に通過する進入領域を推定する推定部として機能する。
【００６８】
図８に示されるような広角ライブビュー画像３５０が取得される場合には、制御部１００は、広角ライブビュー画像３５０の右側領域３５５に移動体５００が位置すると判定する。そして、制御部１００は、標準撮像範囲１８５の右縁を、移動体５００が標準撮像範囲１８５に入ってくる際に通過する進入領域と推定する。
【００６９】
ステップＳ６において、移動体５００が標準撮像範囲１８５に入ってくる際に通過する進入領域が推定されると、ステップＳ７が実行される。ステップＳ７において、表示部１２１は、ステップＳ６で推定された進入領域を通知する第１通知情報を、標準ライブビュー画像３００と共に表示画面２ａに表示する。
【００７０】
図９は、第１通知情報を表示する表示画面２ａの表示の一例を示す図である。また図９は、標準撮像範囲１８５の右縁が進入領域と推定される場合での、表示画面２ａの表示の一例を示している。図９に示されるように、表示画面２ａにおける、標準撮像範囲１８５の右縁と対応する部分に、具体的には、表示画面２ａにおける、標準ライブビュー画像３００が表示される中央領域４２０の右側端部４２０ｄに、第１通知情報としての第１マーカー３６０が、標準ライブビュー画像３００の右側端部と重なるように表示されている。図９の例では、第１マーカー３６０は、中央領域４２０の右側端部４２０ｄにおいて上下方向に沿って延びる棒状の図形である。第１マーカー３６０の色は、例えば、標準ライブビュー画像３００と区別しやすいような色となっている。
【００７１】
また、図１０に示されるような、左側領域３５４内に右方向に移動する移動体５００が映っている広角ライブビュー画像３５０が得られる場合には、制御部１００は、広角ライブビュー画像３５０の左側領域３５４に移動体５００が位置すると判定する。次に、制御部１００は、標準撮像範囲１８５の左縁を、移動体５００が標準撮像範囲１８５に入ってくる際に通過する進入領域と推定する。そして、表示部１２１は、推定された侵入領域を通知する第１通知情報を、標準ライブビュー画像３００と共に表示画面２ａに表示する。
【００７２】
図１１は、標準撮像範囲１８５の左縁が進入領域と推定される場合での、第１通知情報を表示する表示画面２ａの表示の一例を示している。図１１に示されるように、表示画面２ａにおける、標準撮像範囲１８５の左縁と対応する部分に、具体的には、表示画面２ａにおける、標準ライブビュー画像３００が表示される中央領域４２０の左側端部４２０ｃに、第１通知情報としての第１マーカー３６０が、標準ライブビュー画像３００の左側端部と重なるように表示される。図１１の例では、第１マーカー３６０は、中央領域４２０の左側端部４２０ｃにおいて上下方向に沿って延びる棒状の図形である。
【００７３】
また、図１２に示されるような、上側領域３５２内に右下方向に移動する移動体５１０（例えば飛行機）が映っている広角ライブビュー画像３５０が得られる場合には、制御部１００は、広角ライブビュー画像３５０の上側領域３５２に移動体５１０が位置すると判定する。次に、制御部１００は、標準撮像範囲１８５の上縁を、移動体５１０が標準撮像範囲１８５に入ってくる際に通過する進入領域と推定する。そして、表示部１２１は、推定された侵入領域を通知する第１通知情報を、標準ライブビュー画像３００と共に表示画面２ａに表示する。
【００７４】
図１３は、標準撮像範囲１８５の上縁が進入領域と推定される場合での、第１通知情報を表示する表示画面２ａの表示の一例を示している。図１３に示されるように、表示画面２ａにおける、標準撮像範囲１８５の上縁と対応する部分に、具体的には、表示画面２ａにおける、標準ライブビュー画像３００が表示される中央領域４２０の上側端部４２０ａに、第１通知情報としての第１マーカー３６０が、標準ライブビュー画像３００の上側端部と重なるように表示される。図１３の例では、第１マーカー３６０は、中央領域４２０の上側端部４２０ａにおいて左右方向に沿って延びる棒状の図形である。
【００７５】
また、図１４に示されるような、下側領域３５３内に左上方向に移動する移動体５００が映っている広角ライブビュー画像３５０が得られる場合には、制御部１００は、広角ライブビュー画像３５０の下側領域３５３に移動体５００が位置すると判定する。次に、制御部１００は、標準撮像範囲１８５の下縁を、移動体５００が標準撮像範囲１８５に入ってくる際に通過する進入領域と推定する。そして、表示部１２１は、推定された侵入領域を通知する第１通知情報を、標準ライブビュー画像３００と共に表示画面２ａに表示する。
【００７６】
図１５は、標準撮像範囲１８５の下縁が進入領域と推定される場合での、第１通知情報を表示する表示画面２ａの表示の一例を示している。図１５に示されるように、表示画面２ａにおける、標準撮像範囲１８５の下縁と対応する部分に、具体的には、表示画面２ａにおける、標準ライブビュー画像３００が表示される中央領域４２０の下側端部４２０ｂに、第１通知情報としての第１マーカー３６０が、標準ライブビュー画像３００の下側端部と重なるように表示される。図１５の例では、第１マーカー３６０は、中央領域４２０の下側端部４２０ｂにおいて左右方向に沿って延びる棒状の図形である。
【００７７】
このように、移動体が標準撮像範囲１８５外かつ広角撮像範囲１９５内に存在すると判定される場合には、制御部１００は、移動体が標準撮像範囲１８５に入ってくる際に通過する進入領域を推定する。また、表示部１２１は、推定された進入領域を通知する第１通知情報を、標準ライブビュー画像３００と共に表示画面２ａに表示する。これにより、ユーザは、移動体が標準撮像範囲１８５外かつ広角撮像範囲１９５内に存在していることと、当該移動体が標準撮像範囲１８５に入ってくる際にどの領域から入ってくるかを知ることができる。したがって、ユーザは、第１通知情報及び標準ライブビュー画像３００を見ながら操作ボタン３１０を操作することによって、標準撮像範囲１８５に入ってくる移動体を撮像しやすくなる。
【００７８】
また、表示部１２１は、標準ライブビュー画像３００を表示する表示画面２ａにおける、移動体が標準撮像範囲１８５に入ってくる際に通過すると推定された進入領域と対応する部分に、第１通知情報としての第１マーカー３６０を表示する。これにより、ユーザは、広角撮像範囲１９５から標準撮像範囲１８５に入ってくる移動体が、標準撮像範囲１８５のどの領域から入ってくるかをより直観的に知ることができる。
【００７９】
また、第１マーカー３６０は、標準ライブビュー画像３００の端部に重ねられて表示されることから、第１マーカー３６０によって標準ライブビュー画像３００が見えにくくなるのを抑制することができる。
【００８０】
なお、第１マーカー３６０が標準ライブビュー画像３００に重ねられて表示される場合には、第１マーカー３６０は、その下の標準ライブビュー画像３００が見えなくなるようなマーカーではなく、その下の標準ライブビュー画像３００が透過して見えるようなマーカーであってもよい。
【００８１】
ステップＳ７において、表示画面２ａに第１通知情報が表示された後、再度ステップＳ４以降の処理が実行される。これにより、例えば、移動体が広角ライブビュー画像３５０の右側領域３５５に位置していると制御部１００が判定している間、表示部１２１は、表示画面２ａにおける、標準ライブビュー画像３００が表示される中央領域４２０の右側端部４２０ｄに第１マーカー３６０を表示し続ける。
【００８２】
図８で示した移動体５００がさらに左方向に移動した場合には、当該移動体５００は、標準撮像範囲１８５内に位置するようになる。図１６は、標準撮像範囲１８５内に移動体５００が位置する場合での、広角ライブビュー画像３５０の一例を示す図である。図１６の例では、移動体５００は、広角ライブビュー画像３５０における、標準撮像範囲１８５と対応する部分領域３５１に位置している。このような場合には、図５に示されるステップＳ５において、制御部１００は、移動体５００が標準撮像範囲１８５内に存在すると判定する。
【００８３】
ステップＳ５において、移動体５００が標準撮像範囲１８５内に存在すると判定されると、ステップＳ８が実行される。ステップＳ８において、表示部１２１は、移動体５００が標準撮像範囲１８５内に存在することを示す第２通知情報を、標準ライブビュー画像３００と共に表示画面２ａに表示する。図１７は、第２通知情報を表示する表示画面２ａの表示の一例を示す図である。図１７の例では、表示画面２ａの中央領域４２０の周端部を縁取る枠状の第２マーカー３７０が表示されている。第２マーカー３７０は、例えば、標準ライブビュー画像３００の周端部に重ねて表示される。第２マーカー３７０の色は、例えば、標準ライブビュー画像３００と区別しやすいような色となっている。なお、第２マーカー３７０が標準ライブビュー画像３００に重ねて表示される場合には、第２マーカー３７０は、その下の標準ライブビュー画像３００が見えなくなるようなマーカーではなく、その下の標準ライブビュー画像３００が透過して見えるようなマーカーであってもよい。
【００８４】
このように、移動体５００が標準撮像範囲１８５内に存在すると判定される場合には、表示部１２１は、移動体５００が標準撮像範囲１８５内に存在することを通知する第２通知情報を、標準ライブビュー画像３００と共に表示画面２ａに表示する。これにより、ユーザは、移動体５００が標準撮像範囲１８５内に存在することを確認し易くなる。また、電子機器１が静止画像撮像モードで動作している場合には、ユーザは、第２通知情報を視認した際に操作ボタン３１０を操作することによって、移動体５００が映る静止画像を記憶部１０３内に記録することができる。よって、ユーザは、移動体５００が標準撮像範囲１８５内に存在している適切なタイミングで、当該移動体５００を撮像しやすくなる。
【００８５】
ステップＳ８において、第２通知情報が表示された後、再度ステップＳ４以降の処理が実行される。これにより、移動体５００が標準撮像範囲１８５内に存在すると制御部１００が判定している間、表示部１２１は、第２通知情報を表示し続ける。
【００８６】
図１６で示される移動体５００がさらに左方向に移動した場合には、移動体５００の位置は標準撮像範囲１８５外となる。図１８は、移動体５００が標準撮像範囲１８５から出た場合の広角ライブビュー画像３５０の一例を示す図である。図１８の例では、左方向に移動する移動体５００が、広角ライブビュー画像３５０の左側領域３５４に位置している。このような場合には、図５で示されるステップＳ５において、制御部１００は、移動体５００が標準撮像範囲１８５内に存在しないと判定する。次にステップＳ６において、制御部１００は、広角ライブビュー画像３５０の左側領域３５４に移動体５００が位置すると判定する。そして、制御部１００は、標準撮像範囲１８５の左縁を、移動体５００が標準撮像範囲１８５に入ってくる際に通過する進入領域と推定する。
【００８７】
本例では、制御部１００は、移動体の移動方向を検出せずに、移動体の位置の検出結果に基づいて、当該移動体が標準撮像範囲１８５に入ってくる際に通過する侵入領域を推定している。そのため、図１８に示されるように、移動体５００が標準撮像範囲１８５に向かって移動していない場合でも、移動体５００が検出された位置から標準撮像範囲１８５に向かって移動するものとして、進入領域を推定する。そして、表示部１２１は、図１１に示されるような第１通知情報を、標準ライブビュー画像３００と共に表示画面２ａに表示する。
【００８８】
なお、制御部１００は、移動体の移動方向も検出して、移動体の移動方向及び位置に基づいて、移動体が標準撮像範囲１８５に入ってくる際に通過する進入領域を推定してもよい。この場合には、広角撮像範囲１９５内を移動する移動体のうち、広角撮像範囲１９５から標準撮像範囲１８５に向かって移動する移動体に対してのみ、当該進入領域を推定することができる。この場合の電子機器１の動作については、後述する変形例において詳細に説明する。
【００８９】
そして、図１８に示される移動体５００がさらに左に移動すると、移動体５００は、広角撮像範囲１９５外に位置するようになる。この場合、図５に示されるステップＳ４において、制御部１００は、移動体５００が広角撮像範囲１９５内に存在しないと判定する。移動体５００が広角撮像範囲１９５内に存在しないと制御部１００が判定する間、表示部１２１は、第１通知情報及び第２通知情報を表示画面２ａに表示しない。
【００９０】
上記の例では、表示画面２ａに標準ライブビュー画像３００が表示され、広角ライブビュー画像３５０が表示されていない場合での第１及び第２通知情報の表示例について説明したが、図７に示されるように、表示画面２ａに標準ライブビュー画像３００及び広角ライブビュー画像３５０が表示されている場合であっても、第１及び第２通知情報は表示される。
【００９１】
図１９は、標準ライブビュー画像３００及び広角ライブビュー画像３５０が一緒に表示されている場合に第１通知情報を表示する表示画面２ａの表示の一例を示す図である。図１９の例では、標準撮像範囲１８５の右縁が進入領域であることを通知する第１通知情報が表示されている。図１９の例では、表示画面２ａにおける、標準ライブビュー画像３００の周囲の領域のうち、推定された進入領域（標準撮像範囲１８５の右縁）と対応する部分に、具体的には標準ライブビュー画像３００の右側の領域３０２ｄに、第１通知情報としての第１マーカー３６０が表示されている。図１９の例では、第１マーカー３６０は、標準ライブビュー画像３００に重ねて表示されておらず、当該標準ライブビュー画像３００の外側に表示されている。
【００９２】
このように、表示部１２１は、移動体が標準撮像範囲１８５に入ってくる際に通過すると推定される進入領域を示す第１通知情報を、移動体を写す広角ライブビュー画像３５０と共に標準ライブビュー画像３００を表示する表示画面２ａに表示する。そのため、ユーザは、移動体が広角撮像範囲１９５から標準撮像範囲１８５内に入ってくる際に通過する進入領域をより確認し易くなる。
【００９３】
図２０は、標準ライブビュー画像３００及び広角ライブビュー画像３５０が一緒に表示されている場合に第２通知情報を表示する表示画面２ａの表示の一例を示す図である。図２０の例では、標準ライブビュー画像３００の周囲を取り囲むような枠状の第２マーカー３７０が表示されている。
【００９４】
なお、表示部１２１が表示する第１通知情報は、棒状の第１マーカー３６０ではなく、その他の図形であってもよい。例えば、第１通知情報は、図２１に示されるような、標準ライブビュー画像３００の端部に表示される矢印状の図形３６１であってもよい。図形３６１は、例えば、表示される位置及び矢印の向きによって、移動体が標準撮像範囲１８５のどの領域から入ってくるかを通知する。図２１の例では、標準撮像範囲１８５の右縁が進入領域であることを通知する左向きの矢印状の図形３６１が、標準ライブビュー画像３００の右側端部に重ねて表示されている。
【００９５】
図２２は、標準ライブビュー画像３００及び広角ライブビュー画像３５０が一緒に表示されている場合に第１通知情報としての図形３６１を表示する表示画面２ａの表示の一例を示す図である。図２２の例では、標準撮像範囲１８５の右縁が進入領域であることを通知する図形３６１が表示されている。図２２の例では、表示画面２ａにおける、標準ライブビュー画像３００の周囲の領域のうち、推定された進入領域（標準撮像範囲１８５の右縁）と対応する部分に、具体的には標準ライブビュー画像３００の右側の領域に、第１通知情報としての図形３６１が表示されている。図２２の例では、図形３６１は、標準ライブビュー画像３００に重ねて表示されておらず、当該標準ライブビュー画像３００の外側に表示されている。
【００９６】
また、第１通知情報は、推定された進入領域を示す文字であってもよい。また、第２通知情報は、標準ライブビュー画像３００の周端部を縁取る枠状の図形、あるいは標準ライブビュー画像３００の周囲を取り囲むような枠状の図形ではなく、その他の図形あるいは文字であってもよい。また、第１及び第２通知情報は、中央領域４２０の端部、あるいは標準ライブビュー画像３００の周囲以外に表示されても良い。例えば、第１通知情報としの文字あるいは第２通知情報としての文字が、標準ライブビュー画像３００の中央部に重ねて表示されてもよい。
【００９７】
広角撮像範囲１９５内を移動する移動体が複数ある場合には、各移動体について、図５で示されるステップＳ４〜Ｓ８の処理が個別に実行される。図２３は、２つの移動体５００，５１０を映す広角ライブビュー画像３５０の一例を示す図である。図２３の例では、広角ライブビュー画像３５０の右側領域３５５に、左方向に移動する移動体５００が映っている。また、広角ライブビュー画像３５０の左側領域３５４に、右上方向に移動する移動体５１０が映っている。図２３に示されるような広角ライブビュー画像３５０が得られる場合には、制御部１００は、標準撮像範囲１８５の右縁を、移動体５００が標準撮像範囲１８５内に入ってくる際に通過する進入領域と推定する。また、制御部１００は、標準撮像範囲１８５の左縁を、移動体５１０が標準撮像範囲１８５に入ってくる際に通過する進入領域と推定する。そして、表示部１２１は、移動体５００，５１０に対してそれぞれ推定された進入領域を通知する２つの第１通知情報を表示する。
【００９８】
図２４は、２つの第１通知情報を表示する表示画面２ａの表示の一例を示す図である。図２４の例では、標準撮像範囲１８５の右縁が移動体５００の進入領域であることを通知する第１マーカー３６０が、標準ライブビュー画像３００が表示される中央領域４２０の右側端部４２０ｄに、標準ライブビュー画像３００の右側端部と重なるように表示されている。また、標準撮像範囲１８５の左縁が移動体５１０の進入領域であることを通知する第１マーカー３６２が、標準ライブビュー画像３００が表示される中央領域４２０の左側端部４２０ｃに、標準ライブビュー画像３００の左端部と重なるように表示されている。第１マーカー３６０と第１マーカー３６２とは、それぞれを区別して識別できように表示される。例えば、第１マーカー３６０と第１マーカー３６２は、互いに異なる色で表示される。
【００９９】
なお、標準撮像範囲１８５における、複数の移動体がそれぞれ入ってくる際に通過すると推定される侵入領域が同一部分である場合には、表示画面２ａにおける当該部分と対応する部分に、複数の移動体に対する複数の第１通知情報が表示されてよい。
【０１００】
例えば、図２５に示されるような、右側領域３５５内に移動体５００，５１０が映っている広角ライブビュー画像が得られる場合には、制御部１００は、広角ライブビュー画像３５０の右側領域に移動体５００，５１０が位置すると判定する。次に、制御部１００は、標準撮像範囲１８５の右縁を、移動体５００，５１０が標準撮像範囲１８５にそれぞれ入ってくる際に通過する進入領域と推定する。そして、表示部１２１は、移動体５００，５１０のそれぞれに対する進入領域を通知する第１通知情報を、標準ライブビュー画像３００と共に表示画面２ａに表示する。
【０１０１】
図２６は、標準撮像範囲１８５の右縁が移動体５００，５１０の進入領域と推定される場合での、第１通知情報を表示する表示画面２ａの表示の一例を示している。図２６に示されるように、表示画面２ａにおける、標準ライブビュー画像３００が表示される中央領域４２０の右側端部４２０ｄに、移動体５００に対する進入領域を通知する第１マーカー３６０が表示されている。また、表示画面２ａにおける、標準ライブビュー画像３００が表示される中央領域４２０の右側端部４２０ｄよりも内側の領域４２０ｅに、移動体５１０に対する進入領域を通知する第１マーカー３６２が表示されている。
【０１０２】
なお、上記の例では、標準撮像範囲１８５の周縁における、移動体が入ってくる際に通過する進入領域は、当該標準撮像範囲１８５の周縁を４つに分割した４つの部分から推定されていたが、標準撮像範囲１８５の周縁を４つよりも多くに分割した部分から推定されてもよい。
【０１０３】
図２７は、標準撮像範囲１８５と対応する部分領域３５１以外の領域（標準撮像範囲１８５外かつ広角撮像範囲１９５内と対応する領域）を８つに分割して示す広角ライブビュー画像３５０の一例を示す図である。図２７の例では、図８で示した広角ライブビュー画像３５０の上側領域３５２、下側領域３５３、左側領域３５４及び右側領域３５５のそれぞれは、周方向にさらに２つの領域に区切って示されている。広角ライブビュー画像３５０の上側領域３５２、下側領域３５３、左側領域３５４及び右側領域３５５は、例えば、広角ライブビュー画像３５０の上縁、下縁、左縁及び右縁の各中点と、部分領域３５１の上縁３５６ａ、下縁３５６ｂ、左縁３５６ｃ及び右縁３５６ｄの各中点とをそれぞれ結ぶ直線によって、２つの領域にそれぞれ区切られている。また、広角ライブビュー画像３５０の上側領域３５２及び下側領域３５３は、例えば、部分領域３５１の上縁３５６ａの中点と、下縁３５６ｂの中点とを通る直線によって、２つの領域にそれぞれ区切られ、広角ライブビュー画像３５０の左側領域３５４及び右側領域３５５は、例えば、部分領域３５１の左縁３５６ｃの中点と、右縁３５６ｄの中点とを通る直線によって、２つの領域にそれぞれ区切られていてもよい。
【０１０４】
図２７の例では、広角ライブビュー画像３５０における部分領域３５１以外の領域は、上側左領域３５２ａ、上側右領域３５２ｂ、下側左領域３５３ａ、下側右領域３５３ｂ、左側上領域３５４ａ、左側下領域３５４ｂ、右側上領域３５５ａ、右側下領域３５５ｂの８つの領域に区切られて示されている。部分領域３５１の周縁３５６を構成する上縁左部分３５６ａａ、上縁右部分３５６ａｂ、下縁左部分３５６ｂａ、下縁右部分３５６ｂｂ、左縁上部分３５６ｃａ、左縁下部分３５６ｃｂ、右縁上部分３５６ｄａ及び右縁下部分３５６ｄｂは、それぞれ、広角ライブビュー画像３５０の上側左領域３５２ａ、上側右領域３５２ｂ、下側左領域３５３ａ、下側右領域３５３ｂ、左側上領域３５４ａ、左側下領域３５４ｂ、右側上領域３５５ａ及び右側下領域３５５ｂと接している。また、部分領域３５１の上縁左部分３５６ａａ、上縁右部分３５６ａｂ、下縁左部分３５６ｂａ、下縁右部分３５６ｂｂ、左縁上部分３５６ｃａ、左縁下部分３５６ｃｂ、右縁上部分３５６ｄａ及び右縁下部分３５６ｄｂは、それぞれ、標準撮像範囲１８５の周縁を構成する上縁左部分、上縁右部分、下縁左部分、下縁右部分、左縁上部分、左縁下部分、右縁上部分及び右縁下部分と対応している。図２７の例では、広角ライブビュー画像３５０の右側下領域３５５ｂ内に左方向に向かって移動する移動体５００が映っている。
【０１０５】
制御部１００は、図５に示されるステップＳ６において、ステップＳ４で検出した移動体が、広角ライブビュー画像３５０の上側左領域３５２ａ、上側右領域３５２ｂ、下側左領域３５３ａ、下側右領域３５３ｂ、左側上領域３５４ａ、左側下領域３５４ｂ、右側上領域３５５ａ及び右側下領域３５５ｂのうち、どの領域に位置するかを判定する。次に、制御部１００は、広角ライブビュー画像３５０における部分領域３５１の上縁左部分３５６ａａ、上縁右部分３５６ａｂ、下縁左部分３５６ｂａ、下縁右部分３５６ｂｂ、左縁上部分３５６ｃａ、左縁下部分３５６ｃｂ、右縁上部分３５６ｄａ及び右縁下部分３５６ｄｂのうち、移動体が位置していると判定された領域と接する部分を特定する。そして、制御部１００は、標準撮像範囲１８５の周縁を構成する上縁左部分、上縁右部分、下縁左部分、下縁右部分、左縁上部分、左縁下部分、右縁上部分及び右縁下部分のうち、部分領域３５１の特定された部分と対応する部分を、移動体が標準撮像範囲１８５に入ってくる際に通過する進入領域と推定する。
【０１０６】
図２７に示されるような広角ライブビュー画像３５０が得られる場合には、制御部１００は、広角ライブビュー画像３５０の右側下領域３５５ｂに移動体５００が位置すると判定する。そして、制御部１００は、広角ライブビュー画像３５０の部分領域３５１の右縁下部分３５６ｄｂと対応する標準撮像範囲１８５の右縁下部分を、移動体５００が標準撮像範囲１８５内に入ってくる際に通過する進入領域と推定する。そして、表示部１２１は、推定された進入領域を示す第１通知情報を、標準ライブビュー画像３００と共に表示画面２ａに表示する。
【０１０７】
図２８は、標準撮像範囲１８５の右縁下部分が進入領域と推定される場合での表示画面２ａの表示の一例を示している。図２８に示されるように、表示画面２ａにおける、標準撮像範囲１８５の右縁下部分と対応する部分、具体的には、標準ライブビュー画像３００を表示する中央領域４２０の右側端部の下部分４２０ｆに、第１通知情報としての第１マーカー３６０が、標準ライブビュー画像３００の右側端部の下部分と重なるように表示される。
【０１０８】
このように、標準撮像範囲１８５の周縁を８つに分割した部分から、移動体が入ってくる際に通過する進入領域を推定し、推定された進入領域を示す第１通知情報が表示画面２ａに表示されることから、標準撮像範囲１８５の周縁を４つに分割した部分から進入領域を推定する場合と比較して、ユーザは、広角撮像範囲１９５から標準撮像範囲１８５に入ってくる移動体５００が、標準撮像範囲１８５のどの領域から入ってくるかをより正確に知ることができる。
【０１０９】
なお、移動体が標準撮像範囲１８５に入ってくる際に通過する進入領域を推定する際の、標準撮像範囲１８５の周縁の分割数及び分割の方法は上記の例に限られない。
【０１１０】
また、上記の例では、移動体５００として電車を、また移動体５１０として飛行機を例に説明したが、移動体はこれらの例に限られない。例えば、移動体は、人物であっても良いし、犬などの人以外の動物であっても良い。図２９は、人物である移動体５２０が映る広角ライブビュー画像３５０の一例を示す図である。図２９の例では、左方向に移動する移動体５２０（人物）が、広角ライブビュー画像３５０の右側領域３５５に位置している。図３０は、犬である移動体５３０が映る広角ライブビュー画像３５０の一例を示す図である。図３０の例では、左方向に移動する移動体５３０（犬）が、広角ライブビュー画像３５０の右側領域３５５に位置している。
【０１１１】
図２９で示される移動体５２０に対しても、図３０で示される移動体５３０に対しても、図８で示した移動体５００（電車）に対しての処理と同様の処理が行われる。具体的には、制御部１００は、移動体５２０が広角ライブビュー画像３５０の右側領域３５５に位置すると判定し、標準撮像範囲１８５の右縁を進入領域と推定する。そして図９に示したように、表示部１２１は、表示画面２ａにおける、標準ライブビュー画像３００が表示される中央領域４２０の右側端部４２０ｄに、第１通知情報としての第１マーカー３６０を、標準ライブビュー画像３００の右側端部と重なるように表示する。移動体５３０に対する処理も、移動体５２０に対する処理と同様であるので詳細な説明は省略する。
【０１１２】
＜各種変形例＞
以下に各種変形例について説明する。
【０１１３】
＜第１変形例＞
上記の例では、制御部１００は、移動体の移動方向を検出せずに移動体の位置の検出結果に基づいて、標準撮像範囲１８５の周縁における、当該移動体が標準撮像範囲１８５に入ってくる際に通過する進入領域を推定している。本変形例では、制御部１００は、移動体の位置に加えて移動体の移動方向を検出する。そして、制御部１００は、検出した移動体の位置及び移動方向に基づいて、標準撮像範囲１８５の周縁における、当該移動体が標準撮像範囲１８５に入ってくる際に通過する進入領域を推定する。
【０１１４】
図３１は、本変形例に係る電子機器１の動作の一例を示すフローチャートである。ステップＳ１１〜ステップＳ１３における処理は、図５で示したステップＳ１〜Ｓ３と同様であるので説明を省略する。
【０１１５】
ステップＳ１１〜Ｓ１３の処理の後、ステップＳ１４において、制御部１００は、広角カメラ１９０から所定のフレームレートで連続的に入力される一連の入力画像に対して、例えば、フレーム間差分による動体検出などの画像処理を行うことによって、各入力画像における移動体の位置及び移動方向を検出する。この画像処理には、例えば、広角ライブビュー画像３５０が用いられる。このように、制御部１００は広角撮像範囲１９５内を移動する移動体の位置及び移動方向を検出する検出部として機能する。そして、制御部１００は、広角ライブビュー画像３５０において移動体を検出した場合には、広角撮像範囲１９５内に移動体が存在していると判定する。一方、制御部１００は、広角ライブビュー画像３５０において移動体が検出されない場合には、広角撮像範囲１９５内に移動体が存在しないと判定する。
【０１１６】
ステップＳ１４において、移動体が広角撮像範囲１９５内に存在しないと判定される場合には、再度ステップＳ１４が実行される。一方、ステップＳ１４において、移動体が広角撮像範囲１９５内に存在すると判定される場合には、ステップＳ１５が実行される。
【０１１７】
ステップＳ１５において、移動体が標準撮像範囲１８５内に存在すると判定される場合には、ステップＳ１８が実行される。ステップＳ１８において、表示部１２１は、図１７に示されるような、移動体が標準撮像範囲１８５内に存在することを示す第２通知情報を、標準ライブビュー画像３００と共に表示画面２ａに表示する。
【０１１８】
一方、ステップＳ１５において、移動体が標準撮像範囲１８５内に存在しない、つまり移動体が標準撮像範囲１８５外かつ広角撮像範囲１９５内に存在すると判定されると、ステップＳ１６が実行される。ステップＳ１６において、制御部１００は、ステップＳ１４で検出された移動体の位置及び移動方向に基づき、標準撮像範囲１８５の周縁における、移動体が標準撮像範囲１８５に入ってくる際に通過する進入領域を推定する。具体的には、制御部１００は、移動体が、検出された位置から、検出された移動方向に沿って直進した場合に、広角ライブビュー画像３５０の部分領域３５１の周縁のどの部分を通過して標準撮像範囲１８５に入ってくるかを特定する。
【０１１９】
以下では、制御部１００が移動体の位置及び移動方向に基づいて、標準撮像範囲１８５の周縁における進入領域を推定する動作について、図３２に示される広角ライブビュー画像３５０を用いて説明する。図３２の例では、広角ライブビュー画像３５０の右側領域３５５内に左方向に向かって移動する移動体５００が映っている。また、広角ライブビュー画像３５０の左側領域３５４内に右上方向に向かって移動する移動体５１０が映っている。
【０１２０】
図３２に示されるような広角ライブビュー画像３５０が取得される場合には、ステップＳ１４において、制御部１００は、広角ライブビュー画像３５０における移動体５００の位置及び移動方向５００ａを検出する。次に、ステップＳ１６において、制御部１００は、移動体５００が検出された位置から移動方向５００ａに沿って直進した場合には、部分領域３５１の右縁３５６ｄを通過して当該部分領域３５１に入ってくると判定する。そして、制御部１００は、標準撮像範囲１８５における、部分領域３５１の右縁３５６ｄと対応する部分を、移動体５００が標準撮像範囲１８５に入ってくる際に通過する進入領域と推定する。
【０１２１】
また、ステップＳ１４において、制御部１００は、広角ライブビュー画像３５０における移動体５１０の位置及び移動方向５１０ａを検出する。次に、ステップＳ１６において、制御部１００は、移動体５１０が移動方向５１０ａに沿って直進した場合には、部分領域３５１の周縁を通過しないと判定する。移動体が部分領域３５１の周縁を通過しないと判定される場合には、制御部１００は進入領域を特定しない。このように、本変形例では、移動体が標準撮像範囲１８５外かつ広角撮像範囲１９５内に存在すると判定される場合であっても、検出される移動体の移動方向によっては進入領域が推定されない。
【０１２２】
そして、ステップＳ１７において、図９に示されるような、移動体５００に対する進入領域を示す第１通知情報が、標準ライブビュー画像３００と共に表示画面２ａに表示される。なお、図３２に示されるような広角ライブビュー画像３５０が得られる場合には、移動体５１０については進入領域が推定されていないため、移動体５１０に対する第１通情報は表示されない。
【０１２３】
このように、制御部１００は、移動体が標準撮像範囲１８５外かつ広角撮像範囲１９５内に存在すると判定される場合には、検出された移動体の位置及び移動方向に基づいて、標準撮像範囲１８５に向かって移動する移動体が、標準撮像範囲１８５に入ってくる際に通過する進入領域を推定する。そして、制御部１００は、推定した進入領域を示す第１通知情報を表示画面２ａに表示させる。これにより、ユーザは、広角撮像範囲１９５から標準撮像範囲１８５に向かって移動する移動体に対して、標準撮像範囲１８５のどの領域から入ってくるかをより正確に知ることができる。
【０１２４】
＜第２変形例＞
上記の各例では、記録用カメラが標準カメラ１８０である場合には、制御部１００は、常に広角カメラ１９０を動作させて移動体の検出処理を行っていた。これに対して、本変形例では、電子機器１は、記録用カメラが標準カメラ１８０である場合であっても広角カメラ１９０を動作させずに移動体の検出処理を行わない通常撮像モードと、記録用カメラが標準カメラ１８０である場合に広角カメラ１９０を動作させて移動体の検出処理を行う移動体検出モードとを備えている。図３３は、通常撮像モード及び移動体検出モードを備える電子機器１の動作の一例を示すフローチャートである。
【０１２５】
図３３に示されるように、ステップＳ２１においてカメラアプリが実行されると、ステップＳ２２において、制御部１００は、標準カメラ１８０、広角カメラ１９０及びインカメラ２００のうち、例えば、標準カメラ１８０に電源を供給して起動する。つまり、カメラアプリの起動時には、電子機器１は、通常撮像モードで動作する。そして、ステップＳ２３において、表示部１２１は、標準ライブビュー画像３００を表示画面２ａに表示する。図３４は、電子機器１が通常撮像モードで動作する場合に、標準ライブビュー画像３００を表示する表示画面２ａの表示の一例を示す図である。図３４に示されるように、広角カメラ１９０が起動していないため、図６で示した表示切り替えボタン３４０が表示されていない。また、表示画面２ａの下側端部４１０には、電子機器１の動作モードを通常撮像モードと移動体検出モードとの間で切り替えるための移動体検出切り替えボタン３８０が表示されている。移動体検出切り替えボタン３８０は、記録用カメラが標準カメラ１８０である場合にだけ表示される。
【０１２６】
ステップＳ２４において、電子機器１の動作モードが通常撮像モードである場合に、タッチパネル１３０が移動体検出切り替えボタン３８０への所定の操作（例えばタップ操作）を検出すると、制御部１００は、電子機器１の動作モードを通常撮像モードから移動体検出モードに切り替える。電子機器１の動作モードが通常撮像モードから移動体検出モードに切り替わる場合には、ステップＳ２５において、制御部１００は、広角カメラ１９０に電源を供給して当該広角カメラ１９０を起動する。そして、制御部１００は、ステップＳ２６〜Ｓ３０に示される移動体の検出処理を開始する。ステップＳ２６〜Ｓ３０の一連の処理は、図５におけるステップＳ４〜Ｓ８の一連の処理と同様であるので、説明を省略する。
【０１２７】
一方、電子機器１の動作モードが移動体検出モードである場合に、タッチパネル１３０が移動体検出切り替えボタン３８０への所定の操作を検出すると、制御部１００は、電子機器１の動作モードを移動体検出モードから通常撮像モードに切り替える。電子機器１の動作が移動体検出モードから通常撮像モードに切り替わる場合には、制御部１００は、広角カメラ１９０への電源の供給を停止して当該広角カメラ１９０の動作を停止させる。そして、制御部１００は、移動体の検出処理を停止する。
【０１２８】
このように、記録用カメラが標準カメラ１８０である場合に、電子機器１を移動体検出モードで動作させるためのユーザによる操作を検出した場合にのみ、広角カメラ１９０が起動されて移動体の検出処理が行われることから、電子機器１の消費電力を低減することができる。
【０１２９】
＜第３変形例＞
上記の各例では、制御部１００は、検出された移動体全てに対して、位置あるいは位置及び移動方向の検出処理を行い、進入領域の推定処理を行っていた。これに対して、本変形例では、制御部１００は、対象となる移動体（以降、対象移動体とも呼ぶことがある）に対してのみこれらの処理を行う。例えば、特定の移動体（例えば特定の人物）に対して、あるいは、特定の種類の移動体（例えば人物として検出される複数の移動体の全て）に対してのみ処理が行われる。
【０１３０】
図３５は、本変形例に係る電子機器１の動作の一例を示すフローチャートである。ステップＳ３１〜Ｓ３３における処理は、図５で示したステップＳ１〜Ｓ３の処理と同様であるので説明を省略する。
【０１３１】
ステップＳ３１〜Ｓ３３の処理の後、ステップＳ３４において、制御部１００は、広角カメラ１９０から所定のフレームレートで連続的に入力される一連の入力画像に対して、例えば、テンプレートマッチングなどの画像処理を行うことによって、各入力画像における対象移動体の位置を検出する。対象移動体が人物である場合には、例えば、既知の顔認証技術などが利用される。対象移動体は、あらかじめユーザによって設定されて、当該対象移動体を示す情報が記憶部１０３内に記憶される。具体的には、例えば、対象移動体を検出するための参照画像が、あらかじめ標準カメラ１８０等で撮像されて記憶部１０３内の不揮発性メモリに記憶される。対象移動体の検出処理には、例えば、広角ライブビュー画像３５０が用いられる。そして、制御部１００は、広角ライブビュー画像３５０において、対象移動体を示す参照画像と対応する部分領域の位置を検出することによって、対象移動体の位置を検出する。このように、制御部１００は、広角撮像範囲１９５内に位置する対象移動体の位置を検出する検出部として機能する。そして、制御部１００は、広角ライブビュー画像３５０において対象移動体を検出した場合には、広角撮像範囲１９５内に対象移動体が存在していると判定する。一方、制御部１００は、広角ライブビュー画像３５０において対象移動体が検出されない場合には、広角撮像範囲１９５内に対象移動体が存在しないと判定する。
【０１３２】
ステップＳ３４において、対象移動体が標準撮像範囲１８５内に存在すると判定される場合には、再度ステップＳ３４が実行される。一方、ステップＳ３４において、対象移動体が広角撮像範囲１９５内に存在すると判定される場合には、ステップＳ３５が実行される。
【０１３３】
ステップＳ３５において、制御部１００は、ステップＳ３４で検出された対象移動体が、標準撮像範囲１８５内に存在するか否かを判定する。具体的には、制御部１００は、ステップＳ３４で検出された、広角ライブビュー画像３５０での対象移動体の位置（例えば、対象移動体の中心座標）が、広角ライブビュー画像３５０における部分領域３５１内か否かを判定する。そして、制御部１００は、ステップＳ３４で検出された広角ライブビュー画像３５０での対象移動体の位置が、広角ライブビュー画像３５０における部分領域３５１内である場合には、対象移動体が標準撮像範囲１８５内に存在すると判定する。一方、制御部１００は、ステップＳ３４で検出された広角ライブビュー画像３５０での対象移動体の位置が、広角ライブビュー画像３５０における部分領域３５１内でない場合には、標準撮像範囲１８５内に対象移動体が存在しないと判定する。このように、制御部１００は、対象移動体が標準撮像範囲１８５内に存在するか否かを判定する判定部として機能する。また、ステップＳ３４において広角撮像範囲１９５内に存在すると判定された移動体に対して、ステップＳ３５において当該対象移動体が標準撮像範囲１８５内に存在するか否かが判定されることから、制御部１００は、対象移動体が標準撮像範囲１８５外かつ広角撮像範囲１９５内に存在するか否かを判定する判定部として機能するともいえる。
【０１３４】
ステップＳ３５において、対象移動体が標準撮像範囲１８５内に存在しない、つまり対象移動体が標準撮像範囲１８５外かつ広角撮像範囲１９５内に存在すると判定されると、ステップＳ３６が実行される。ステップＳ３６において、制御部１００は、ステップＳ３４で検出された対象移動体の位置に基づき、標準撮像範囲１８５の周縁における、対象移動体が標準撮像範囲１８５に入ってくる際に通過する進入領域を推定する。
【０１３５】
以下では、制御部１００が、対象移動体に対して、標準撮像範囲１８５の周縁における進入領域を推定する動作について、図３６に示される広角ライブビュー画像３５０を用いて説明する。本例では、標準カメラ１８０のズームイン機能によって、標準撮像範囲１８５が、標準カメラ１８０のズーム倍率が１倍の時よりも狭くなっている。このため、図３６に示される部分領域３５１の範囲は、図８等で示した部分領域３５１よりも狭くなっている。なお、本例では、標準カメラ１８０のズームイン機能が動作している場合を説明するが、標準カメラ１８０のズーム倍率は１倍のままでもよい。
【０１３６】
図３６の例では、広角ライブビュー画像３５０の右側領域３５５内に左方向に向かって移動する移動体５２０及び移動体５２１が映っている。図３６の例では、移動体５２０及び移動体５２１は人物である。また、本例では、移動体５２０の顔が対象移動体として設定されている。そして、図３６に示されるように、広角ライブビュー画像３５０における、移動体５２０の顔が映る部分領域３５７が対象移動体に対応する部分として検出される。
【０１３７】
図３６に示されるような広角ライブビュー画像３５０が取得される場合には、ステップＳ３６において、制御部１００は、対象移動体である移動体５２０の顔が、広角ライブビュー画像３５０の右側領域３５５に位置すると判定する。そして、制御部１００は、標準撮像範囲１８５の右縁を、移動体５２０の顔が標準撮像範囲１８５に入ってくる際に通過する進入領域と推定する。一方、移動体５２１は対象移動体ではないため、当該移動体５２１に対しては、位置の検出処理及び進入領域の推定処理は行われない。
【０１３８】
ステップＳ３６において、対象移動体が標準撮像範囲１８５に入ってくる際に通過する進入領域が推定されると、ステップＳ３７が実行される。ステップＳ３７において、表示部１２１は、図３７に示されるような表示画面２ａを表示する。図３７の例では、対象移動体に対する進入領域を示す第１通知情報としての第１マーカー３６０が、表示画面２ａにおける、標準ライブビュー画像３００が表示される中央領域４２０の右側端部４２０ｄに表示される。なお、移動体５２１については、進入領域が推定されていないため、移動体５２１に対する第１通知情報は表示画面２ａに表示されない。
【０１３９】
このように、制御部１００は、複数の移動体のうち、対象となる移動体に対して、標準撮像範囲１８５に入ってくる際に通過する進入領域を推定し、推定された進入領域を示す第１通知情報を表示画面２ａに表示させる。これにより、ユーザは、対象となる移動体をより撮像しやすくなる。
【０１４０】
図３６で示した移動体５２０，５２１がさらに左方向に移動した場合には、移動体５２１が標準撮像範囲１８５内に位置し、移動体５２０は広角ライブビュー画像３５０における右側領域３５５内に位置したままとなる。図３８は、標準撮像範囲１８５内に移動体５２１が位置し、広角ライブビュー画像３５０の右側領域３５５内に移動体５２０が位置する場合での広角ライブビュー画像３５０の一例を示す図である。図３８の例では、移動体５２１は、広角ライブビュー画像３５０における、標準撮像範囲１８５と対応する部分領域３５１に位置している。図３８で示されるような広角ライブビュー画像３５０が得られる場合には、表示部１２１は、図３９に示されるような表示画面２ａを表示する。図３９の例では、標準ライブビュー画像３００に移動体５２１が映っている。このような場合であっても、移動体５２１に対しては位置の検出が行われていないため、当該移動体５２１に対する第２通知情報は表示画面２ａにされない。また、図３８に示されるように、対象移動体である移動体５２０の顔は、広角ライブビュー画像３５０の右側領域３５５に位置したままであるので、移動体５２０の顔に対する第１通知情報としての第１マーカー３６０が、表示画面２ａにおける、標準ライブビュー画像３００が表示される中央領域４２０の右側端部４２０ｄに表示されたままとなる。
【０１４１】
図３８で示した移動体５２０，５２１がさらに左方向に移動した場合には、移動体５２１が標準撮像範囲１８５外に位置し、移動体５２０の顔が標準撮像範囲１８５内に位置するようになる。図４０は、標準撮像範囲１８５内に移動体５２０が位置し、広角ライブビュー画像３５０の左側領域３５４内に移動体５２１が位置する場合での、広角ライブビュー画像３５０の一例を示す図である。図４０の例では、移動体５２０は、広角ライブビュー画像３５０における、標準撮像範囲１８５と対応する部分領域３５１に位置している。このような場合には、図３５に示されるステップＳ３５において、制御部１００は、対象移動体（移動体５２０の顔）が標準撮像範囲１８５内に存在すると判定する。
【０１４２】
ステップＳ３５において、対象移動体が標準撮像範囲１８５内に存在すると判定されると、ステップＳ３８が実行される。ステップＳ３８において、表示部１２１は、図４１に示されるような表示画面２ａを表示する。図４１の例では、対象移動体が標準撮像範囲１８５内に存在することを示す第２通知情報としての第２マーカー３７０が、表示画面２ａの中央領域４２０の周端部を縁取るように表示される。また、表示部１２１は、表示画面２ａにおける部分領域３５７と対応する部分に、対象移動体を識別するための第３マーカー３９０を表示している。
【０１４３】
このように、複数の移動体が広角撮像範囲１９５内に映っている場合であっても、対象となる移動体が標準撮像範囲１８５に存在すると判定される場合に、表示部１２１は、対象となる移動体が標準撮像範囲１８５内に存在することを通知する第２通知情報を、標準ライブビュー画像３００と共に表示画面２ａに表示する。これにより、ユーザは、対象となる移動体をより撮像しやすくなる。
【０１４４】
なお、本例では、対象移動体の位置が検出されることから、制御部１００は、対象移動体が標準撮像範囲１８５内に存在すると判定する場合には、標準カメラ１８０のフォーカスを当該移動体に合わせるようにしても良い。これにより、ユーザは、対象となる移動体をより撮像しやすくなる。
【０１４５】
上記の各例では、制御部１００が、移動体が標準撮像範囲１８５内に存在すると判定する場合には、表示部１２１は、移動体が標準撮像範囲１８５内に存在することを通知する第２通知情報を、標準ライブビュー画像３００と共に表示画面２ａに表示していたが、移動体が標準撮像範囲１８５内に存在すると判定される場合であっても、表示部１２１は第２通知情報を表示しなくてもよい。移動体が標準撮像範囲１８５内に存在すると判定されるときに表示部１２１が第２通知情報を表示しない場合であっても、上述のように、ユーザは、移動体が標準撮像範囲１８５内に入ってくる前に表示画面２ａに表示される第１通知情報によって、移動体が標準撮像範囲１８５外かつ広角撮像範囲１９５内に存在していることと、当該移動体が標準撮像範囲１８５に入ってくる際にどの領域から入ってくるかを知ることができる。そして、ユーザは、第２通知情報が表示されない場合であっても、標準ライブビュー画像３００に移動体が映っているのを目視することによって、当該移動体が標準撮像範囲１８５内に入っていることを確認することができる。したがって、表示部１２１が第２通知情報を表示しない場合であっても、ユーザは、第１通知情報によって、移動体を撮像しやすくなる。
【０１４６】
また、上記の各例では、本開示の技術をスマートフォン等の携帯電話機に適用する場合を例にあげて説明したが、本開示の技術は、画角の異なる複数の撮像部を備える他の電子機器にも適用することができる。例えば、本開示の技術は、デジタルカメラ、パーソナルコンピュータあるいはタブレット端末等の電子機器にも適用することができる。
【０１４７】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１４８】
１  電子機器
２ａ  表示画面
１００  制御部
１２０  表示パネル
１２１  表示部
１８０  第１撮像部（標準カメラ）
１８５  第１撮像範囲（標準撮像範囲）
１９０  第２撮像部（広角カメラ）
１９５  第２撮像範囲（広角撮像範囲）
３００  標準ライブビュー画像
３５０  広角ライブビュー画像
３６０，３６２  第１マーカー
３７０  第２マーカー
５００，５１０，５２０，５２１，５３０  移動体
【図１】
2017018043.tif 000003
【図２】
2017018043.tif 000004
【図３】
2017018043.tif 000005
【図４】
2017018043.tif 000006
【図５】
2017018043.tif 000007
【図６】
2017018043.tif 000008
【図７】
2017018043.tif 000009
【図８】
2017018043.tif 000010
【図９】
2017018043.tif 000011
【図１０】
2017018043.tif 000012
【図１１】
2017018043.tif 000013
【図１２】
2017018043.tif 000014
【図１３】
2017018043.tif 000015
【図１４】
2017018043.tif 000016
【図１５】
2017018043.tif 000017
【図１６】
2017018043.tif 000018
【図１７】
2017018043.tif 000019
【図１８】
2017018043.tif 000020
【図１９】
2017018043.tif 000021
【図２０】
2017018043.tif 000022
【図２１】
2017018043.tif 000023
【図２２】
2017018043.tif 000024
【図２３】
2017018043.tif 000025
【図２４】
2017018043.tif 000026
【図２５】
2017018043.tif 000027
【図２６】
2017018043.tif 000028
【図２７】
2017018043.tif 000029
【図２８】
2017018043.tif 000030
【図２９】
2017018043.tif 000031
【図３０】
2017018043.tif 000032
【図３１】
2017018043.tif 000033
【図３２】
2017018043.tif 000034
【図３３】
2017018043.tif 000035
【図３４】
2017018043.tif 000036
【図３５】
2017018043.tif 000037
【図３６】
2017018043.tif 000038
【図３７】
2017018043.tif 000039
【図３８】
2017018043.tif 000040
【図３９】
2017018043.tif 000041
【図４０】
2017018043.tif 000042
【図４１】
2017018043.tif 000043
【国際調査報告】
2017018043.tif 000044
2017018043.tif 000045
2017018043.tif 000046
2017018043.tif 000047